(57)【要約】本発明は、封入された、少なくとも部分的に有機的な電子構成部材を実現するための新たなコンセプトに関する。これは、アンテナ、ダイオード（整流ダイオード及び／又は発光ダイオード）、トランジスタなどのような種々の電子的な構成要素と電子構成部材との組合せに関する新たなコンセプト並びにこのコンセプトのための最適な回路を内容とする。このために、基板（領域）上及び／又は封入部における構成部材及び／又は回路の同様の構成要素が１つのグループに統合され、このグループは電気的に相互に接続されている。
2005508572.tif 000002
【特許請求の範囲】
【請求項１】
有機電子構成部材において、
構成素子の少なくとも３つのグループを包含し、すなわち、
実質的に無機の構成素子（アンテナ）のグループと、
受動的な、例えば有機の構成素子のグループと、
能動的な、例えば有機の構成素子のグループとを包含し、
受動的な構成素子のグループは能動的な構成素子または構成要素を包含せず、能動的な構成素子のグループは実質的に有機の電界効果トランジスタを包含し、前記３つのグループは別個に相互に製造可能であり、基板における電気的なコンタクト及び／又は封入部によって相互に接続されており、受動的な構成素子と能動的な構成素子との間の電気的なコンタクトが一方のグループから他方のグループへと延在する回路を実現することを特徴とする、有機電子構成部材。
【請求項２】
基板及び／又は封入部はフレキシブルなフィルムである、請求項１記載の有機電子構成部材。
【請求項３】
少なくとも１つの電気的なコンタクトは接着によって及び／又は導電性の複合材料でもって製造される、請求項１または２記載の有機電子構成部材。
【請求項４】
ＲＦＩＤタグ、センサアレイ、光電池、「ウェアラブル電子機器」、アクティブディスプレイ、消費財の電子的なバーコード、電子的な透かし、電子的な切手、荷札及び／又は電子的なチケットとしての、請求項１から３までのいずれか１項記載の有機電子構成部材の使用。
【請求項５】
以下の構成要素を包含する回路が実現されており、すなわち、
アンテナ（１）、コンデンサ（２）、ダイオード（３）及び集積回路（５）に前置されている変調トランジスタ（４）を包含し、２つのコンデンサ（７、８）及び別のダイオード（６）が、前記集積回路（５）にはコンデンサ（７）を介して給電され、同時にダイオード（６）によって前記変調トランジスタ（４）によって該コンデンサ（７）からエネルギが取り出されることは阻止されるように接続されている、請求項１から４までのいずれか１項記載の有機電子構成部材。
【請求項６】
有機電子構成部材の製造方法において、
アンテナを備えたグループと、受動的なグループと、能動的なグループとを包含し、アンテナ、受動的なグループ、能動的なグループを例えば事前に製造し、個々のグループの簡単な電気的なコンタクトを介して回路を実現することを特徴とする、有機電子構成部材の製造方法。
【請求項７】
コンデンサのために前記基板フィルム上に金属面及び／又は導電性のポリマ面を形成し、該基板フィルム及び前記能動的なグループまたは前記受動的なグループまたは封入フィルムの統合後に、前記面と前記アンテナの導電性の面とによって容量を生じさせる、請求項６記載の方法。
【発明の詳細な説明】
【技術分野】
【０００１】
本発明は、封入された且つ少なくとも部分的に有機的な電子構成部材を実現するための新たなコンセプトに関する。これはアンテナ、ダイオード（整流ダイオード及び／又は発光ダイオード）、トランジスタなどのような、電子構成部材と種々の電気的な構成素子との組合せに関する新たなコンセプト及びそのための最適な回路を内容とする。
【０００２】
無線周波数識別（ＲＦＩＤ）タグ、センサアレイ、光電池などのような電子構成部材は従来のシリコン技術を基礎としていることが公知である。
【０００３】
この電子構成部材は、例えば消費財のための電子的なバーコード、電子的な透かし、電子的な切手、荷札（Kofferanhaenger）及び／又はチケットとして使用される。
【０００４】
そのような電子構成部材は、これらが少なくとも部分的に有機電子機器（プラスチック電子機器）を基礎とする構成素子から構成される場合には、明らかに比較的安価に製造することができる。しかしながらこの際比較的多くの問題が生じる。先ず、アンテナ、整流器及び／又はトランスポンダチップのような種々の構成素子グループを、非常に多くのプロセスで製造し、組み立て、封入する必要がある。
【０００５】
例えばＤＥ１００  ４３  ２０４．２から公知である新たなプラスチック電子構成部材に関して、これまでHart, C.M.; DeLeeuw, D.M. er al. , Philios Res. Lab. , ESSCIRC '98, ISBN 2-86332-235-4, 1998から、変調トランジスタ４及び集積回路５のみが有機材料を基礎とする回路がこれまで公開されている（図１を参照されたい）。アンテナ１、コンデンサ２及びシリコンダイオード３は無機材料（従来のシリコン技術）から成る。整流ダイオード３に後置されているＯＦＥＴ（有機電界効果トランジスタ）４が使用される。しかしながらこの実施形態で問題となるのは、変調トランジスタ４は電力の極一部しかスイッチングできないことであり、それ以外の場合では集積回路５に対する電流供給は崩壊するであろう。別の問題は、ダイオードによって交流電圧の半波しか整流することができないので、整流ダイオード３によってＲＦＩＤタグに対する給電として放出される電力の半分しか使用できないことである。このことは、例えばＲＦＩＤタグに放出される電力は法律によって制限されており、また放射される電力を半分にすることは動作範囲、したがって電子構成部材の使用領域を著しく制限するので、殊に重大な欠陥である。
【０００６】
ＲＦＩＤタグのような典型的な電子構成部材は複数の構成要素、例えばアンテナ、コンデンサ、ダイオード（発光ダイオード及び／又は整流ダイオード）、必要に応じて光電池、及びトランジスタを備えた少なくとも１つの集積回路を包含する。これらの個々の構成要素は、種々の材料及び処理技術を必要とするので異なる製造方法を要求する。つまりパターニングのために殊に高分解能の実装技術が必要とされ、またこのために比較的良好に処理可能な材料を用いて作業されるが、これに対して有機ベースのダイオード及び／又はコンデンサの製造は処理が比較的難しい材料の処理を要求するが、はるかに僅かな手間のパターニングでもって良好な品質をもたらす。アンテナの製造の際にはやはり一般的に金属が処理され、この金属もやはり全く異なる処理機械及び処理技術を必要とする。少なくとも部分的に有機的な（プラスチック）電子構成部材の製造は相応に複雑であり、目下のところ刊行物の対象は存在していなかったが、大量使い捨て製品（Massen-Ein-Weg Produkt）として必要とされる市場の成熟に関して、これら多くの異なる製造ステップを可能な限り効率的に克服できる解決手段が発見されたようである。
【０００７】
したがって本発明の課題は、構成素子の選択及び配置構成により安価な製造及び封入を可能にする、少なくとも部分的に有機的な電子構成部材及び／又は回路を提供することである。この際、電力伝送及び（負荷）変調に関して公知の回路を最適化し、効率的な大量生産プロセスを実現することが大変重要である。
【０００８】
ここでこの大量生産プロセスが、アンテナ、ダイオード（整流ダイオード及び／又は発光ダイオード）、トランジスタなどのような構成素子に電子構成部材を統合する新たなコンセプト及び／又は回路コンセプトの適切な最適化によって、どのように実現できるかという解決手段を説明する。
【０００９】
本発明の対象は、構成素子の以下の少なくとも３つのグループを包含する有機電気構成部材である：
実質的に無機の構成素子（例えばアンテナ）のグループ、
受動的な、有利には有機の構成素子のグループ、
能動的な、有利には有機の構成素子のグループ、
ここで、受動的な構成素子のグループは能動的な構成素子または構成要素を包含せず、能動的な構成素子のグループは実質的に有機電界効果トランジスタを包含し、また通常は受動的な構成素子を包含せず、３つのグループを別個に相互に製造することができ、基板における電気的なコンタクトを介して及び／又は封入によって相互に接続されており、電気的なコンタクトが受動的な構成素子と能動的な構成素子との間で一方のグループから他方のグループへと延在する回路を実現する。
【００１０】
グループは、基板（の一部）に及び／又は封入されることにより統合されており、プロセス技術的に容易に組み立てることができ及び／又は条件的に同等の方法で製造できる、１つまたは複数の構成素子である。
【００１１】
さらに本発明の対象は、少なくとも部分的に有機機能性ポリマを基礎とする電子構成部材のための回路であり、この回路は以下の構成要素、すなわち、
アンテナ（１）、コンデンサ（２）、ダイオード（３）及び集積回路（５）に前置されている変調トランジスタ（４）を包含し、２つのコンデンサ（７、８）と別のダイオード（６）は、集積回路（５）にはコンデンサ（７）を介して給電され、同時にダイオード（６）を介して変調トランジスタ（４）がこのコンデンサ（７）からエネルギを取り出すことは阻止されるように接続されている。
【００１２】
最後に本発明の対象は、少なくとも１つの無機の構成部材（アンテナ）、少なくとも１つの受動的で有利には有機ベースの構成素子、少なくとも１つの能動的で有利には有機ベースの構成素子を包含し、アンテナ、受動的な構成素子、能動的な構成素子は事前に生産され、個々の素子の簡単で電気的な接触によって回路が実現される、有機電子構成部材を製造する方法に関する。
【００１３】
ここでは電子構成部材は例えばＲＦＩＤタグのような全体のトランスポンダであり、いかなる場合でも複数の構成素子を包含する１つの部品であり、ここで構成素子は比較的小さいユニットであるが、トランジスタ、コンデンサ、光電池などのような複数の構成要素から構成することも十分可能である。
【００１４】
「受動的な構成素子」はダイオード（整流ダイオード及び／又は発光ダイオード）、光結合器のような結合器、コンデンサ、抵抗及び／又はこれらに類するものを指す。「能動的な構成素子」には例えばトランジスタ、光電池、センサ及び／又はこれらに類するものが該当する。勿論、集積された能動的な回路に抵抗のような受動的な構成素子を包含させることもできる。
【００１５】
有利には本発明の範囲では、少なくとも部分的に有機的な機能性ポリマ（ないし一般的に導電性ないし半導電性の有機材料）を包含する受動的な構成素子及び／又は能動的な構成素子が使用される。これらの構成素子は以下では略して「有機構成素子」と称する。もっともこの構成素子は非有機的な部品も構成素子の中に包含することが十分可能であるが、少なくとも１つの有機的な部品、有利には有機的な機能性ポリマはここで「有機構成素子」と称される構成素子内に包含されている。
【００１６】
回路は殊に有利にはＲＦＩＤタグに使用される。
【００１７】
構成素子として例えばコイルで良いアンテナが例えば使用され、このアンテナは例えば金属、金属含有化合物、例えば合金、銅、アルミニウム及び／又は場合によっては金属含有有機機能性ポリマ、例えば導電性銀（Leitsilber）及び／又は有機材料のみからなる有機機能性ポリマ、例えばポリアニリン、ペドット（Pedot）、カーボンブラックまたはこれらの混合物からなる。
【００１８】
アンテナは有機電子構成部材の他の構成素子及び／又は構成要素のように基板に取り付けられ、同時に基板を形成することができる封入部でもって不所望な環境的な影響から保護される。
【００１９】
基板として例えばフレキシブルなフィルム（例えばポリエステル）が採用される。このフィルムは要求に応じて、構成素子が湿度及び／又は酸素の影響に対して不安定である有機材料から部分的に構成されているので、湿度及び空気に対し種々の非常に著しいバリヤ特性を有する。これらのバリヤ特性をフィルム材料自体によって、フィルムへの添加によって、（例えばシリケート及び／又は金属コーティングのような）コーティングによって及び／又は前述の個々の措置を複数施すことによってもたらすことができる。基板フィルムは生産ステップの条件（温度、機械的な負荷、処理媒体など）による損傷に対して安定していることが望ましい。
【００２０】
基板及び／又は封入部、有利にはフレキシブルなフィルム上には相応の構成要素、例えば有機トランジスタ、受動的な構成部材、有機的なダイオード（発光ダイオード及び整流ダイオード）、有機的な光電池及び同様の構成部材から成る集積回路が取り付けられる。さらには、有機的な構成部材と無機的な構成部材の組合せ（例えば有機的なトランスポンダチップ回路と組み合わされた十分に金属的なアンテナ）も可能である。
【００２１】
フィルムを電気的に絶縁するために、（例えばスクリーン印刷、スプレー、フローコーティング、必要に応じて打ち抜き加工された別のフィルムのラミネートによって）少なくともフィルムの表面に絶縁層が取り付けられる。
【００２２】
個々の構成素子には導電性のコンタクトが設けられる。これらの構成素子のうちの２つまたはそれ以上の構成素子は、電気的なコンタクトが有利には導電性の接着剤または導電性の複合材料を用いて相互に接続されることによって、相互に接続される。
【００２３】
必要とされる電気的なスルーホールまたはスルーホールのための導体路（バイア）を同様に一緒に取り付けることができるか、後に例えばレーザを用いて絶縁層を開口することにより形成される。バイアを例えば導電性の接着剤のスクリーン印刷または無電解の金属コーティングによって導電的に充填することができる。最も簡単な場合には薄い絶縁層のみが選択され、その結果バイアの充填を省略することができる。
【００２４】
構成素子はやはり、基板に関して説明したものと同様の構成及び同様の特性を有するフィルムでもって有利には封入される。このことは例えば接着または溶接により行うことができる。有利には封入部は気密に取り付けられる。個々の構成素子が組み立てられる前、また完成した電子構成部材と接触させる前に封入された場合には、この封入部から例えば電流供給、信号伝送または検出を目的とした電気端子を貫通させることができる。したがって組み合わされたポリマ電子的な構成要素を有するカプセル化された構成部材が得られる。種々の構成要素を種々のプロセスで製造する必要がある場合、またはこれが経済的により好適である場合には、種々の構成素子を別個に基板フィルム及び／又は封入フィルム上に取り付けることができ、上述の接続プロセスで電気的に結びつけることができる。この際一方では電気的な絶縁、他方では所定のスルーホールを顧慮する必要がある。
【００２５】
それぞれの構成素子または電子構成部材の製造プロセスは、全体の製造について個々の生産ステップが可能な限り僅かにしか要求されないようにするために、２つのフィルム（基板及び封入部）が同様に構成要素の配置構成のために使用されるように最適化される。
【００２６】
ここで「有機材料」または「有機機能性ポリマ」の概念は、全ての種類の有機合成物質、金属有機合成物質及び／又は有機無機合成物質（ハイブリッド）、殊に例えば英語では「ｐｌａｓｔｉｃｓ（プラスチック）」と称される合成物質を包含する。それらは古典的なダイオードを形成する半導体材料（ゲルマニウム、ケイ素）を除く全ての物質及び典型的で金属的な導電体である。つまり炭素を含有する材料としての有機材料への教義的な意味での制限は設けられておらず、むしろ例えばシリコーンの広範な使用も考えられている。さらにはこの術語には分子の大きさ、殊にポリマ材料及び／又はオリゴマの材料に関して制限は課されず、「小分子（small molecules）」を使用することも十分に考えられる。機能性ポリマにおける「ポリマ」は歴史的に条件付けられており、その限りでは実際のポリマ化合物の存在に関する記述は含まれていない。
【００２７】
回路は殊に有利には有機材料を基礎とするＲＦＩＤタグに使用される。回路は構成素子における構成要素の選択及び配置構成によって、僅かな数の異なる構成素子による安価な製造及び封入が可能となる。
【００２８】
製造方法は、コンデンサ及びトランジスタのような電子構成部材の個々の構成要素が例えば種々の製造条件及び製造要求を有するという事情を顧慮する。つまり、それぞれ１つの構成素子に１つの「種類」の全ての構成要素が統合され、したがって構成素子は可能な限り短い組み立てストレスで生産することができる。構成素子は別個にまたは一緒に基板に封入されて相互に接続される。それにもかかわらず、従来のすなわちシリコンを含有する構成要素と接続された有機ベースの構成要素を有する構成素子を構成することができる。
【００２９】
以下では本発明を、従来技術と比較した本発明の実施例を示すそれぞれの図面に基づき詳細に説明する。ここで、
図１は刊行物Hart, C. M. ; De Leeuw, D.M. er al. , Philips Res. Lab. , ESSCIRC '98, ISBN 2-86332-235-4 1998から公知のような従来技術を示し、
図２から４は回路の種々の実施形態の概略図を示し、図５は図４の回路を３つの構成素子に分割した図であり、図６及び図７は完成された電子構成部材としての回路の実現形態の可能性を示す。
【００３０】
図１には従来技術のようなＲＦＩＤタグのための回路が見て取れる。この回路ではトランジスタ４及び集積回路５のみが有機材料から成る。アンテナ１、コンデンサ２及びシリコンダイオード３は無機材料から成る。キャリア蓄積体（Ladungstraegerakumulanten）として作用するが、キャリアの侵入（Ladungstraegerinversion）によっては作用しない有機材料の特性のために、従来のトランジスタに比べるとＯＦＥＴの切り替え速度が不十分であり、また交流電圧に対する適格性が無いという問題は、ＯＦＥＴ４が整流ダイオード３に後置されて使用されることにより解消される。しかしながら、変調トランジスタ４は電力の極一部しかスイッチングすることができず、そうでなければ論理回路５への電流供給は崩壊するという、この実施形態における問題は残ったままである。別の問題はダイオード３によって、ＲＦＩＤタグへの給電として放射される電力の半分しか使用できないことである。
【００３１】
フィリップス（Philips）の刊行物、したがって同様に従来技術に属する簡単な回路の変形形態では、トランジスタ４を論理回路５に集積するか、トランジスタを完全に省略し、変調信号として論理回路５の負荷変化を使用している。これに関する１つの例は、単独の論理回路として整流器の出力側に接続されるリング発振器である。発振によって電力消費が周期的に変化し、この変化を直接負荷変調として読み出すことができる。したがって、リング発振器の製造に応じて全く一定の周波数でもって発振されるので、簡単な電子的な透かしを実現することができる。
【００３２】
図２は１つの実施例を示す。
アンテナ１はコンデンサ２と共に、読み取り装置の送信周波数に適合されている振動回路を形成する。有機ダイオード３はコンデンサ８と共に平滑化された直流電圧を出力する整流器を形成する。有機変調トランジスタ４は整流器の出力側に接続されている。有機コンデンサ７は論理回路５のためのエネルギ蓄積部を形成し、有機ダイオード６は変調トランジスタ４を介するコンデンサ７の放電を阻止する。論理回路８はメモリを読み出す回路を包含し、情報をビット毎にシリアルで出力側に転送する。この出力側は変調トランジスタ４のゲートと接続されている。論理回路５の速度は読み取り装置の送信周波数に依存しない。
【００３３】
図３は類似の実施形態を示すが、ここでは整流ダイオード３はブリッジ整流器３に置換されている。この整流器は統合された４つの有機ダイオードを包含する。
【００３４】
論理回路（ＩＣ）に対して正及び負の電圧が必要である場合には、この電圧を簡単なダイオードまたはダイオードブリッジ回路を備えた２つの並列に接続されている整流器ユニットによって実現することができる。これに関する別の可能性は、簡単な整流器回路の後方に例えば直列に接続されている抵抗を備えた電圧分配器の構成である。
【００３５】
図４はやはり回路の実施形態を示し、この実施形態は図２及び図３の回路と類似するが、全てのコンデンサがそれぞれ１つないし２つの有機ダイオードに置換されている。コンデンサ２は交流電圧でもって動作し、したがってこのコンデンサ２は逆極性で直列に接続されている２つのダイオード２、２′に置換されている。コンデンサ７及び８には直流電圧が供給され、すなわちこれらのコンデンサ７、８は、阻止方向に接続されているそれぞれ１つのダイオードに置換することができる。この実施例ではコンデンサを完全に省略することができ、このことは回路の製造を著しく簡潔にする。
【００３６】
僅かな（負荷）変調についての問題は、回路では以下のように解決される。論理回路はエネルギ蓄積部（例えば有機コンデンサ７）を介して給電され、この際有機ダイオード６を用いて、変調トランジスタ４がこの蓄積部からエネルギを取り出すことが阻止される（図２から図４の実施例を参照されたい）。このエネルギ蓄積部は、変調トランジスタ４が阻止状態であるときに充電される。この際の問題は、エネルギ蓄積部はビット列１１１１．．．（または、ロジックの符号化に応じて００００．．．）が生じたときに放電されることである。このことはＲＦＩＤタグの論理回路５が、各ビット間において変調トランジスタ４は非常に短い時間にわたり遮断されるように情報ビットを出力する場合に阻止される。このことは、エネルギ蓄積部がビット列に依存せずに所定の充電状態を下回ることができないように実施することができる。エネルギ蓄積部の主な利点は、論理回路５に対する電圧供給が崩壊することなく、変調トランジスタ４が１００％の電力をスイッチングできることである。
【００３７】
回路を用いて解決される別の問題は、ＤＥ１００  ４４  ８４２．９から公知であるような有機的な集積可能なダイオードを使用する比較的大きな電力の伝送である。このことは整流のためのダイオードブリッジ回路の使用により可能となる。これによって、交流電圧の２つの半波を使用できるので２倍の電力が伝送される（図３及び図４の実施例を参照されたい）。従来技術から公知のアプローチ、つまりＳｉダイオードのハイブリッド的な使用では、そのようなブリッジ回路を実際に使用することはできない。何故ならばハイブリッドＳｉダイオードを用いるＲＦＩＤタグの製造は過度に繁雑且つ高価だからである。
【００３８】
本発明の殊に有利な実施形態（図４）は、有機ダイオードが阻止方向においてコンデンサのように振る舞うという事実を基礎とする。したがって逆の極性を持つ直列に接続されている２つのダイオードを用いて、交流電圧でもって機能するコンデンサも得られる。この回路の利点は、コンデンサ、すなわち複数層の機能性ポリマ及びそれに続く処理ステップを省略することができるので、ポリマＲＦＩＤタグの構成が非常に簡潔であるという点である。
【００３９】
図５には種々の構成素子１、２及び３に分割された図４の回路が見て取れる。
【００４０】
先ずここで構成部材１１であり、この構成部材１１は基板１４（バリア特性を持つフレキシブルなフィルム）を包含し、この基板１４にはアンテナとして機能し、導電性のコンタクト１５を有する導電路１が設けられている。次に構成部材１２であり、この構成部材１２はダイオードまたはコンデンサ（２、３、６、７及び８）として機能する全ての構成要素並びに導電性のコンタクト１５も包含する。最後に構成部材１３であり、この構成部材１３には有機トランジスタ並びに導電性のコンタクト１５も包含する全ての構成要素４、５が統合されている。ここではこれらの構成要素のうちの１つだけが有機材料を基礎とすることを必要とし、例えば無機ダイオードを備えた有機チップも構成することができる、ないしアンテナは金属または金属含有化合物でよい。
【００４１】
図６からは、どのようにして個々の構成素子１１、１２及び１３を有利には１つの全体のシステムへと構成できるかが見て取れる。
【００４２】
部分図６Ａにはアンテナ及びコンタクトを備えた構成部材１１が見て取れ、部分図６Ｂ及び６Ｃはそれぞれ上方からの構成素子１２及び１３を示す。部分図６Ｅは組み立てられた電子構成部材を示し、６Ｄはこの電子構成部材の上に設けられる封入フィルムを示す。最後に図６Ｆには電子構成部材の断面図が示されている。
【００４３】
Ａ）基板フィルム１４には相応の方法を用いて（例えばスパッタリング、蒸着、電気メッキまたは無電解メッキ、印刷、マイクロ打ち抜き加工、フォトリソグラフィ、エッチングのような方法またはその組合せによって）アンテナ（１）並びに電気的なコンタクト（１５）が取り付けられ、これが構成部材１１である。
【００４４】
Ｂ）図５に示されているように、例えばダイオード及びコンデンサを包含する構成部材１２は相応の方法により製造され、電気的なコンタクトが取り付けられる。コンデンサを構成するための１つの可能性は、例えば、コンデンサのために基板側に金属化面または導電性のポリマ面が形成されることであり、この面は２つのフィルムの統合後にこの面とトランスポンダアンテナの導電性の面とによる容量が生じるように配置されている。
【００４５】
Ｃ）例えば（例えば印刷、フォトリソグラフィ、スピン塗布などの方法によって製造される）有機トランジスタ４及び集積回路５を包含する構成部材１３は相応の方法でもって製造され、電気的なコンタクト１５が取り付けられる。
【００４６】
Ｄ）基板１４のように酸素及び／又は水蒸気のような外部の影響に対するバリア特性を持つべき、また接着またはラミネートのような相応の方法によって他の構成部材１１、１２及び１３に取り付けられることができる封入フィルム１６が示されている。
【００４７】
Ｅ）組み立てられた状態の構成部材１１、１２及び１３の構成が上方から示されている。構成部材１２及び１３は、それぞれの適切な電気的なコンタクト１５が相互に接続されているように構成されている。
【００４８】
Ｆ）側面からのＥ）の構成を示しており、ここでは付加的に封入フィルムも一緒に使用されている。
【００４９】
すなわち、個々の構成素子または構成部材１１、１２及び／又は１３は基板または封入フィルムに取り付けられて、電気的な絶縁のために絶縁層によって覆われる。そのように準備されたフィルムは調整され、全体のシステム例えばトランスポンダへと統合される。
【００５０】
このことは例えば接着または溶接により行われる。接着剤は同時に上記の絶縁層に相応することもできるであろうし、しかしながら別の処理ステップにおいて例えば印刷、スプレー、フローコーティングによって取り付けることができる。２つのフィルムは調整、接合及び加圧（オートクレーブ、真空プレスなど）される。接着剤の塗布及び／又は加圧行程によって、２つのフィルムの端部領域では接着剤の厚みが最小にされ、その結果気体及び湿度に対する横方向のバリヤも付与されていることが保証される。同時にバイアス時の電気的なコンタクトも実現する必要がある。接着剤は熱的に及び／又はＵＶ光によって硬化される。
【００５１】
この構成原理はポリマ電子構成部材を備えた多数の別の製品、例えば光電池、評価回路が集積されているセンサ構造または制御回路が集積されているＯＬＥＤにとっても有利である。この場合、例えば光電池またはＯＬＥＤセルが一方のフィルムに取り付けられ、ポリマ回路が他方のフィルムに取り付けられる。このようにして有機構成部材を慣例の無機構成部材と接続することも勿論可能である。
【００５２】
図７には、どのようにしてこれらの構成部材が別のやり方で有利に１つの全体のシステムへと構成できるかが示されている。この図はやはり部分図７Ａから７Ｅに分割されており、これらの部分図を以下説明する。
【００５３】
Ａ）基板フィルム１４には相応の方法でもって（例えばスパッタリング、蒸着、電気メッキまたは無電解メッキ、印刷、マイクロ打ち抜き加工、フォトリソグラフィ、エッチングのような方法またはその組合せによって）アンテナ１並びに電気的なコンタクト１５が取り付けられ、これが構成部材１１である。
【００５４】
Ｂ）図５に示されているように、例えばダイオード及びコンデンサを包含する構成部材１２は相応の方法でもって製造され、電気的なコンタクトが取り付けられる。ここでは構成部材１２は直接封入フィルム１４に取り付けられており、これによって構成部材の総数が低減され、作業ステップが省略される。
【００５５】
Ｃ）例えば（例えば印刷、フォトリソグラフィ、スピン塗布などの方法によって製造される）有機トランジスタ及び集積回路を包含する構成部材１３は相応の方法によって製造され、電気的なコンタクトが取り付けられる。
【００５６】
Ｄ）組み立てられた状態の構成部材１１、１２及び１３の構成を上方から示している。構成部材１２及び１３は、それぞれ適切な電気的なコンタクト１５が相互に接続されているように構成されている。
【００５７】
Ｅ）側面からの図７Ｄ）の構成を示す。
【００５８】
図面に示したような電子構成部材の製造方法は、ＲＦＩＤタグの製造のためにのみ使用できるものではなく、むしろ、少なくとも１つの有機電子構成部材を包含し、フレキシブルな基板に取り付けられる、さらに多数の実施例にも使用することができ、それは例えば以下のものである：
・電子機器が集積されている（有機）光電池または相応のセンサアレイ
・アクティブ有機ディスプレイ（ＯＬＥＤまたは他のディスプレイ）
・複数の単一構成要素からなるポケットコンピュータ
・「ウェアラブル電子機器」。洋服に組み込まれた電子構成部材
・インテリジェントペーパ：紙または紙のような材料に組み込まれている電子機器
・点滅式及び／又は発光式及び／又は音響的表示部を備えた広告ラベル。
【図面の簡単な説明】
【００５９】
【図１】従来技術から公知の回路である。
【図２】本発明による回路の実施形態である。
【図３】本発明による回路の実施形態である。
【図４】本発明による回路の実施形態である。
【図５】図４の回路を３つの構成素子に分割した図である。
【図６】回路を実現するための可能性を示す。
【図７】回路を実現するための可能性を示す。
【国際公開パンフレット】
2005508572.tif 000003
2005508572.tif 000004
2005508572.tif 000005
2005508572.tif 000006
2005508572.tif 000007
2005508572.tif 000008
2005508572.tif 000009
2005508572.tif 000010
2005508572.tif 000011
2005508572.tif 000012
2005508572.tif 000013
2005508572.tif 000014
2005508572.tif 000015
2005508572.tif 000016
2005508572.tif 000017
2005508572.tif 000018
2005508572.tif 000019
2005508572.tif 000020
2005508572.tif 000021
2005508572.tif 000022
2005508572.tif 000023
2005508572.tif 000024
2005508572.tif 000025
2005508572.tif 000026
2005508572.tif 000027
【国際公開パンフレット（コレクトバージョン）】
2005508572.tif 000028
2005508572.tif 000029
【国際調査報告】
2005508572.tif 000030
2005508572.tif 000031
2005508572.tif 000032
2005508572.tif 000033
2005508572.tif 000034
2005508572.tif 000035